(57)【要約】リール台装置は、回転駆動される駆動部材２０と、駆動部材２０に対して相対的に回転可能に設けられたリール台５０と、駆動部材２０とリール台５０との間にヒステリシストルクを発生させるヒステリシス板３０およびマグネット６０と、駆動部材２０とリール台５０との間に摩擦トルクを発生させる摩擦摺動部材７０とを備える。駆動部材２０は、リール軸１０を取り囲む軸受部分２０ａと、半径方向外方に延びるフランジ部２０ｂとを含む。リール台５０は、リール軸１０を取り囲む軸受部分５０ａと、半径方向外方に延びるフランジ部５０ｂとを含む。ヒステリシストルクを発生する部材は両フランジ部２０ｂ、５０ｂの間に設けられ、摩擦トルクを発生させる部材７０は両軸受部分２０ａ、５０ａの間に設けられる。
2004051641.tif 000002
【特許請求の範囲】
【請求項１】
回転駆動される駆動要素と、
前記駆動要素に対して相対的に回転可能に設けられたリール台と、
前記駆動要素と前記リール台との間にヒステリシストルクを発生させるヒステリシストルク発生手段と、
前記駆動要素と前記リール台との間に摩擦トルクを発生させる摩擦トルク発生手段とを備える、リール台装置。
【請求項２】
前記駆動要素は、リール軸を取り囲む軸受部分と、この軸受部分の外面から半径方向外方に延びるフランジ部とを含み、
前記リール台は、リール軸を取り囲む軸受部分と、この軸受部分の外面から半径方向外方に延びるフランジ部とを含み、
前記ヒステリシストルク発生手段は、前記駆動要素のフランジ部と前記リール台のフランジ部との間に設けられ、
前記摩擦トルク発生手段は、前記駆動要素の軸受部分と前記リール台の軸受部分との間に設けられる、請求項１に記載のリール台装置。
【請求項３】
前記摩擦トルク発生手段は、前記駆動要素と前記リール台との間に挟まれてそれらと摩擦接触する摩擦摺動部材を含む、請求項１に記載のリール台装置。
【請求項４】
前記摩擦摺動部材は、フェルトまたは不織布より成る、請求項３に記載のリール台装置。
【請求項５】
前記駆動要素および前記リール台は、それぞれ、前記摩擦摺動部材に対向する面にそれらの回転軸心を中心とする円形の溝を有している、請求項３に記載のリール台装置。
【請求項６】
前記駆動要素および前記リール台は、それぞれ、前記摩擦摺動部材に対向する面にそれらの回転軸心を中心とする同心円状の複数の円形溝を有している、請求項３に記載のリール台装置。
【請求項７】
前記ヒステリシストルク発生手段は、前記駆動要素および前記リール台のうちのいずれか一方に取付けられたマグネットと、他方に取付けられた磁性板とを含む、請求項１に記載のリール台装置。
【請求項８】
前記ヒステリシストルク発生手段は、前記駆動要素および前記リール台のうちのいずれか一方に固定された磁性体からなるバックヨークを含み、
前記マグネットは前記バックヨークに吸着されている、請求項７に記載のリール台装置。
【請求項９】
前記摩擦トルク発生手段は、前記マグネットと前記磁性板との間に挟まれてそれらと摩擦接触する摩擦摺動部材を含む、請求項７に記載のリール台装置。
【請求項１０】
前記駆動要素は、歯車である、請求項１に記載のリール台装置。
【発明の詳細な説明】
【技術分野】  この発明はリール台装置に関し、特に、デジタルビデオカメラ（ＤＶＣ）、ビデオテープレコーダ、８ミリビデオテープレコーダ（８ミリＶＴＲ）、デジタルオーディオテープレコーダ（ＤＡＴ）、カセットテープレコーダなどのテープ駆動部に用いられるリール台装置に関する。
【背景技術】  磁気クラッチを用いたリール台装置の一例が、特開昭６１−６３９４９号公報に開示されている。この公報に開示されたリール台装置は、マグネット板を取付けたリール台と、上記のマグネット板に対向するヒステリシス板を取付けた駆動ギヤとを備えている。駆動ギヤの回転は、マグネット板とヒステリシス板との間に発生するヒステリシストルクによってリール台に伝達される。マグネット板の一方の面はヒステリシス板に対向するが、その反対側に位置する他方の面にヨーク板を取付けてヒステリシストルクを大きくしている。
図４は、従来のリール台装置の他の例を示している。図示するリール台装置は、バネとフェルトとを用いて摩擦トルクを発生するものである。図４において、リール軸１は図示しないシャーシに取付けられており、このリール軸１に対して円盤状の下リール台２が回転可能に支持されている。下リール台２はリール軸１を取り囲む円筒形軸受部分２１と、円筒形軸受部分２１の下部から半径方向に延びるフランジ部２２とを有している。
上リール台５は、下リール台２の円筒形軸受部分２１上に圧力嵌めされる円筒形軸受部分５１と、円筒形軸受部分５１の下部から半径方向に延びるフランジ部５２とを有している。上リール台５は下リール台２と一体となってリール軸１の周りを回転する。上リール台５の上部には軸方向へ摺動するリールフック７が設けられており、このリールフック７を介して図示を省略したリールが上リール台５に固定される。上リール台５の円筒形軸受部分５１の内面形状に注目すると、その下方部分の内径が下リール台２の円筒形軸受部分２１の外面から離れるように大きくされている。この拡大された内径部分にコイルばね６が収納されている。
上リール台５のフランジ部５２と下リール台２のフランジ部２２との間に位置する円盤状の押え板４はその外周部にギヤ４１を有しており、図示していない駆動機構によって回転駆動される。押え板４と下リール台２のフランジ部２２との間には、厚みのあるリング状のフェルト３が配置されている。押え板４とフェルト３と下リール台２のフランジ部２２との接触状態は、コイルばね６によって維持されるので、それらの間に摩擦トルクが発生する。すなわち、回転駆動される押え板４の回転は、フェルト３を介した摩擦トルクによって下リール台２のフランジ部２２に伝達される。これにより、下リール台２と上リール台５とは、一体になって回転する。
上述の従来技術には、次のような問題点がある。
特開昭６１−６３９４９号公報に開示されたリール台装置では、駆動ギヤの回転を、ヒステリシス板とマグネット板との間に発生するヒステリシストルクのみによってリール台に伝達するものであるので、高トルクの発生を期待できない。
図４に示したリール台装置では、駆動機構によって駆動される押え板４の回転を摩擦トルクのみによってリール台２，５に伝達するものであるので、高トルクの発生を期待できない。摩擦トルクを高めるためにコイルばね６の弾発力を大きくすることが考えられるが、弾発力が大きすぎると上リール台５が上方に抜け出てしまうおそれがある。また、摩擦トルクは温度や湿度の影響を受けやすいので、摩擦トルクの大きさを最適に調節するのは困難である。さらに、図４に示したリール台装置では、回転駆動される押え板４を上リール台５と下リール台２との間に配置し、さらに押え板４と下リール台２のフランジ部２２との間にフェルトを配置するものであるので、部品点数が多くなり、しかも構造が複雑となる。そのため、リール台装置の小型化が困難となる。
【発明の開示】
この発明の目的は、高いトルクを発生することのできるリール台装置を提供することである。
この発明の他の目的は、小型でありながら高トルクを発生することのできるリール台装置を提供することである。
この発明に従ったリール台装置は、回転駆動される駆動要素と、駆動要素に対して相対的に回転可能に設けられたリール台と、駆動要素とリール台との間にヒステリシストルクを発生させるヒステリシストルク発生手段と、駆動要素とリール台との間に摩擦トルクを発生させる摩擦トルク発生手段とを備える
上記構成の本発明によれば、ヒステリシストルクおよび摩擦トルクの両者によってリール台装置のトルクを決定するものであるので、高トルク化を達成できる。
駆動要素は、好ましくは、リール軸を取り囲む軸受部分と、この軸受部分の外面から半径方向外方に延びるフランジ部とを含む。リール台は、好ましくは、リール軸を取り囲む軸受部分と、この軸受部分の外面から半径方向外方に延びるフランジ部とを含む。ヒステリシストルク発生手段は、駆動要素のフランジ部とリール台のフランジ部との間に設けられ、摩擦トルク発生手段は、駆動要素の軸受部分と前記リール台の軸受部分との間に設けられる。このような構成にすれば、小型でありながら高トルクを発生することのできるリール台装置を実現できる。
摩擦トルク発生手段は、好ましくは、駆動要素とリール台との間に挟まれてそれらと摩擦接触する摩擦摺動部材を含む。摩擦摺動部材は、例えば、フェルトまたは不織布より成る。好ましくは、駆動要素およびリール台は、それぞれ、摩擦摺動部材に対向する面にそれらの回転軸心を中心とする円形の溝を有している。
この円形の溝は、同心円状に複数設けてもよい。摩擦接触する摩擦摺動部材と駆動要素との間、および摩擦摺動部材とリール台との間に微粉が発生することがあるが、そのような微粉を円形溝内に逃がすことができる。
ヒステリシストルク発生手段は、典型的には、駆動要素およびリール台のうちのいずれか一方に取付けられたマグネットと、他方に取付けられた磁性板とを含む。一つの実施形態では、ヒステリシストルク発生手段は、駆動要素およびリール台のうちのいずれか一方に固定された磁性体からなるバックヨークを含む。この場合、上記のマグネットはバックヨークに吸着される。このようにすれば、接着剤を使用することなくマグネットを取付けることができるので、組立てが容易となり製造コストを低減できる。
摩擦トルク発生手段は、マグネットと磁性板との間に挟まれてそれらと摩擦接触する摩擦摺動部材を含むものであってもよい。回転駆動要素は、例えば、歯車である。
【図面の簡単な説明】  図１は、この発明の一実施形態に係るリール台の断面図である。
図２は、図１に示した摩擦摺動部を拡大して示す図である。
図３は、この発明の一実施形態に係るリール台の分解斜視図である。
図４は、従来のリール台装置の一例を示す断面図である。
【発明を実施するための最良の形態】  図１ないし図３において、リール軸１０は図示しないシャーシなどに取付けられており、このリール軸１０上に駆動部材２０とリール台５０とが回転可能に取付けられている。下方に位置する駆動部材２０と上方に位置するリール台５０とは、相対的に回転可能である。
駆動部材２０は、リール軸１０を取り囲む円筒状の軸受部分２０ａと、この軸受部分２０ａの外面から半径方向外方に延びるフランジ部２０ｂと、このフランジ部２０ｂの外周部に形成されるギア２０ｃとを含む。フランジ部２０ｂ上には、磁性板としてのリング状のヒステリシス板３０が設けられている。
リール台５０は、リール軸１０を取り囲む円筒状の軸受部分５０ａと、この軸受部分５０ａの外面から半径方向外方に延びるフランジ部５０ｂとを含む。フランジ部５０ｂの下面には磁性体からなるリング状のバックヨーク４０が固着されており、このバックヨーク４０にはリング状のマグネット６０が吸着されている。この場合、接着剤を使用しなくて済むので安価になる。マグネット６０には図３に示すようにＮ極とＳ極とがたとえば３極ずつ交互に形成されている。
駆動部材２０と、リール台５０とのそれぞれの軸受部分２０ａ，５０ａの対向面には、摩擦摺動部材７０が挟まれる。摩擦摺動部材７０は、駆動部材２０およびリール台５０に対して摩擦接触する。摩擦摺動部材７０の材料としては、フェルトや、綿、麻、合成繊維等の不織布を用いることができる。このような摩擦摺動部材７０と駆動部材２０の軸受部分２０ａとの間、および摩擦摺動部材７０とリール台５０の軸受部分５０ａとの間で摩擦トルクが発生する。
また、図２に示すように、駆動部材２０の軸受部分２０ａの摺動面、およびリール台５０の軸受部分５０ａの摺動面には、それらの回転軸心を中心とする円形の溝２０ｄ，５０ｄが形成されている。これらの円形溝２０ｄ，５０ｄは、同心円状に複数設けるのが好ましい。摩擦接触する摩擦摺動部材７０と駆動部材２０との間、および摩擦摺動部材７０とリール台５０との間に微粉が発生することがあるが、そのような微粉を円形溝２０ｄ，５０ｄ内に逃がすことができる。
リール台５０の上部には、コイルバネ８０により上方に押し上げられ、軸方向へ摺動するリールフック９０が設けられている。このリールフック９０により図示しないリールがリール台５０上に固定される。なお、図示しないが、駆動部材２０の下方にはマグネット６０からの漏れ磁束を検知して回転数を検出する磁気センサが設けられている。
このように構成されたリール台装置において、図示しない駆動機構によって駆動部材２０が回転駆動されると、駆動部材２０のフランジ部２０ｂに取付けられたヒステリシス板３０と、リール台５０のフランジ部５０ｂに取付けられたマグネット６０との間でヒステリシストルクが発生するとともに、駆動部材２０の軸受部分２０ａと摩擦摺動部材７０との間、およびリール台５０の軸受部分５０ａと摩擦摺動部材７０との間に摩擦トルクが発生する。このように上記構成のリール台装置によれば、駆動部材２０の回転をリール台５０に伝達するのに際し、ヒステリシストルクおよび摩擦トルクを同時に発生させるものであるので、高トルク化を実現できる。
さらに、図示した実施形態では、ヒステリシストルク発生手段が、駆動部材２０のフランジ部２０ｂとリール台５０のフランジ部５０ｂとの間に設けられ、摩擦トルク発生手段が、駆動部材２０の軸受部分２０ａとリール台５０の軸受部分５０ａとの間に設けられているので、小型でありながら高トルクを発生することのできるリール台装置を実現できる。
図示していないが、他の実施形態として、摩擦摺動部材７０を駆動部材２０の軸受部分２０ａとリール台５０の軸受部分５０ａとの間に挟むのではなく、ヒステリシス板３０とマグネット６０との間に挟むようにしても良い。
さらに他の実施形態として、ヒステリシス板３０をリール台５０のフランジ部５０ｂに取付け、バックヨーク４０とマグネット６０とを駆動部材２０のフランジ部２０ｂに取付けるようにしてもよい。
図面を参照してこの発明の実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】  この発明は、小型でかつ高トルクが必要とされるリール台装置に有利に適用され得る。特に、デジタルビデオカメラ、ビデオテープレコーダ、８ミリビデオテープレコーダ、デジタルオーディオテープレコーダ、カセットテープレコーダなどのテープ駆動部に用いることができる。
【図１】
2004051641.tif 000003
【図２】
2004051641.tif 000004
【図３】
2004051641.tif 000005
【図４】
2004051641.tif 000006
【手続補正書】
【提出日】平成16年8月25日(2004.8.25)
【手続補正００１】
【補正対象書類名】特許請求の範囲
【補正対象項目名】全文
【補正方法】変更
【補正の内容】
【書類名】特許請求の範囲
【請求項１】リール軸を取り囲む第１の軸受部分と、この第１の軸受部分の外周から半径方向外方へ延びる第１のフランジ部とから成り、回転駆動される駆動要素、
前記リール軸を取り囲む第２の軸受部分と、この第２の軸受部分の外周から半径方向外方へ延び、前記第１のフランジ部に対向する第２のフランジ部とから成り、前記駆動要素に対して相対的に回転可能に設けられたリール台、
前記第１のフランジ部および前記第２のフランジ部のうちのいずれか一方のフランジ部に取り付けられたバックヨーク、
前記バックヨーク上に配置されたマグネット、
前記バックヨークが取り付けられたフランジ部に対向する他方のフランジ部に取り付けられ、前記マグネットに対向する磁性板、および
前記第１の軸受部分と、前記第２の軸受部分との間に設けられ、その軸方向一側面が前記第１の軸受部分と摩擦接触し、軸方向他側面が前記第２の軸受部分と摩擦接触する摩擦トルク発生手段を備えた、リール台装置。
【請求項２】（削除）
【請求項３】（削除）
【請求項４】前記摩擦トルク発生手段は、フェルトまたは不織布より成る、請求項１に記載のリール台装置。
【請求項５】前記駆動要素および前記リール台は、それぞれ、前記摩擦トルク発生手段に対向する面にそれらの回転軸心を中心とする円形の溝を有している、請求項１に記載のリール台装置。
【請求項６】前記駆動要素および前記リール台は、それぞれ、前記摩擦トルク発生手段に対向する面にそれらの回転軸心を中心とする同心円状の複数の円形溝を有している、請求項１に記載のリール台装置。
【請求項７】（削除）
【請求項８】前記マグネットは、前記バックヨークに吸着により固定されている、請求項１に記載のリール台装置。
【請求項９】前記摩擦トルク発生手段は、前記マグネットと前記磁性板との間に挟まれてそれらと摩擦接触する摩擦摺動部材を含む、請求項１に記載のリール台装置。
【請求項１０】前記駆動要素は、歯車である、請求項１に記載のリール台装置。




【国際調査報告】
2004051641.tif 000007
2004051641.tif 000008
2004051641.tif 000009
2004051641.tif 000010